(57)【要約】【課題】流体通路部の開口部を高い精度で開閉可能な流体通路開閉装置を提供すること。【解決手段】流体通路開閉装置が、貫通孔が内部に設けられたスプールと、スプールに対して貫通孔まわりに巻回されたコイルと、回動軸を中心に回動可能な状態で貫通孔に収容された可動鉄片と、第１部材と、第１部材のその延在方向の一端部から可動鉄片に向かって延びる第２部材とを有し、コイルの通電状態に応じて可動鉄片を吸引して回動させることができるように配置された吸引部が第２部材に設けられているヨークと、回動軸よりも吸引部の近くでかつ吸引部の近傍に設けられている開口部を有する流体通路部とを備える。【選択図】図３
2020008032.tif 000002
【特許請求の範囲】
【請求項１】
第１方向に沿って延びる貫通孔が内部に設けられたスプールと、
前記スプールに対して前記貫通孔まわりに巻回されたコイルと、
前記第１方向に沿って延びていると共に、回動軸を中心に回動可能な状態で前記貫通孔に収容された可動鉄片と、
前記第１方向に沿って延びていると共に、前記第１方向に交差する第２方向において前記スプールの外部でかつ前記可動鉄片との間に前記コイルが位置するように配置された第１部材と、前記第１部材のその延在方向の一端部から前記第２方向沿いを前記可動鉄片に向かって延びる第２部材とを有し、前記第２方向において前記可動鉄片に対向しかつ前記コイルの通電状態に応じて前記可動鉄片を吸引して回動させることができるように配置された吸引部が前記第２部材に設けられているヨークと、
前記第１方向において前記回動軸よりも前記吸引部の近くでかつ前記吸引部の近傍に設けられていると共に、前記第２方向において前記可動鉄片に対向するように配置された開口部を有し、前記開口部を介して流体が流れる流体通路部と
前記可動鉄片の回動により前記開口部を開閉可能な蓋部と
を備える、流体通路開閉装置。
【請求項２】
前記可動鉄片が、その延在方向の一端部に設けられかつ前記回動軸を構成する回動被支持部を有し、
前記ヨークが、前記第１部材のその延在方向の他端部から前記第２方向沿いを前記可動鉄片に向かって延びる第３部材を有し、前記第３部材に、前記回動被支持部で前記可動鉄片を回動可能に支持する回動支持部が設けられている、請求項１の流体通路開閉装置。
【請求項３】
前記可動鉄片が、その延在方向の他端部に設けられていると共に、前記第２方向において前記流体通路部の前記開口部に対向しかつ前記可動鉄片の回動により前記開口部を開閉可能に配置された弁体を有し、
前記弁体が前記蓋部を構成している、請求項２の流体通路開閉装置。
【請求項４】
前記流体通路部が、
前記第２方向において前記可動鉄片と前記開口部との間で移動方向に配置されたプランジャと、
前記プランジャを前記第２方向に沿って前記可動鉄片に向かって付勢する付勢部と
を有し、
前記プランジャが、
前記可動鉄片のその延在方向の他端部に接触可能に配置された接触部と、
前記開口部に対向しかつ前記第２方向への移動により前記開口部を開閉可能に配置された弁部と
を有し、
前記プランジャが前記蓋部を構成している、請求項２の流体通路開閉装置。
【請求項５】
前記流体通路部の前記開口部が、前記スプールの外部で、前記第１方向において前記吸引部に隣接して配置されている、請求項３または４の流体通路開閉装置。
【請求項６】
前記流体通路部が前記スプールに一体に設けられている、請求項１から５のいずれか１つの流体通路開閉装置。
【請求項７】
請求項１から６のいずれか１つの流体通路開閉装置と、
前記流体通路開閉装置の前記コイルの通電状態を制御して前記開口部を開閉することにより前記流体通路部を流れる流体の流量を制御する制御装置と
を備える、流量制御装置。
【請求項８】
請求項７の流量制御装置を備えた血圧計。
【発明の詳細な説明】
【技術分野】
【０００１】
本開示は、流体通路開閉装置、この流体通路開閉装置を備えた流量制御装置、および、この流量制御装置を備えた血圧計に関する。
【背景技術】
【０００２】
特許文献１には、円柱状の固定鉄芯と、この固定鉄芯の外周に配置されたソレノイドコイルと、排出流路を備えたノズル部と、ノズル部の排出流路を閉鎖する弁体と、弁体を移動可能に支持する矩形板状の可動部材とを備えたソレノイドバルブが開示されている。このソレノイドバルブでは、可動部材の長手方向の一端部に弁体が設けられ、可動部材の長手方向の他端部に固定鉄芯に吸着される被吸着部が設けられており、可動部材が、弁体と被吸着部との間に配置された回動軸を中心に揺動するように構成されている。
【先行技術文献】
【特許文献】
【０００３】
【特許文献１】特許第５３６４５９２号公報
【発明の概要】
【発明が解決しようとする課題】
【０００４】
前記ソレノイドバルブでは、可動部材の長手方向の両端部に被吸着部および弁体がそれぞれ離れて設けられているため、被吸着部および弁体の相対的な位置関係がばらつき易く、弁体により高い精度で排出流路を閉鎖することが難しい場合がある。その結果、このソレノイドバルブを流量制御装置に用いた場合、排出流路から排出される流体の流量制御の精度が低下してしまうおそれがある。
【０００５】
本開示は、流体通路部の開口部を高い精度で開閉可能な流体通路開閉装置、この流体通路開閉装置を備えた流量制御装置、および、この流量制御装置を備えた血圧計を提供することを課題とする。
【課題を解決するための手段】
【０００６】
本開示の一例の流体通路開閉装置は、
第１方向に沿って延びる貫通孔が内部に設けられたスプールと、
前記スプールに対して前記貫通孔まわりに巻回されたコイルと、
前記第１方向に沿って延びていると共に、回動軸を中心に回動可能な状態で前記貫通孔に収容された可動鉄片と、
前記第１方向に沿って延びていると共に、前記第１方向に交差する第２方向において前記スプールの外部でかつ前記可動鉄片との間に前記コイルが位置するように配置された第１部材と、前記第１部材のその延在方向の一端部から前記第２方向沿いを前記可動鉄片に向かって延びる第２部材とを有し、前記第２方向において前記可動鉄片に対向しかつ前記コイルの通電状態に応じて前記可動鉄片を吸引して回動させることができるように配置された吸引部が前記第２部材に設けられているヨークと、
前記第１方向において前記回動軸よりも前記吸引部の近くでかつ前記吸引部の近傍に設けられていると共に、前記第２方向において前記可動鉄片に対向するように配置された開口部を有し、前記開口部を介して流体が流れる流体通路部と
前記可動鉄片の回動により前記開口部を開閉可能な蓋部と
を備える。
【０００７】
本開示の一例の流量制御装置は、
前記流体通路開閉装置と、
前記流体通路開閉装置の前記コイルの通電状態を制御して前記開口部を開閉することにより前記流体通路部を流れる流体の流量を制御する制御装置と
を備える。
【０００８】
また、本開示の一例の血圧計は、
前記流量制御装置を備える。
【発明の効果】
【０００９】
前記流体通路開閉装置によれば、回動軸を中心に回動可能な状態でスプールの貫通孔に収容された可動鉄片と、可動鉄片を吸引して回動可能に配置された吸引部が設けられたヨークと、可動鉄片の回動軸よりもヨークの吸引部の近くでかつ吸引部の近傍に設けられて、可動鉄片の回動により開閉可能に配置された開口部を有する流体通路部とを備えている。このような構成により、流体通路部の開口部が可動鉄片の回動軸よりもヨークの吸引部の近くに配置されるため、開口部および吸引部の相対的な位置関係がばらつきにくくなり、流体通路部の開口部を高い精度で開閉可能な流体通路開閉装置を実現できる。
【００１０】
前記流量制御装置によれば、前記流体通路開閉装置を備えているので、開口部を介して流体通路部を流れる流体の流量を高い精度で制御可能な流量制御装置を実現できる。
【００１１】
前記血圧計によれば、前記流量制御装置を備えているので、例えば、別途、流体通路部を流れる流体の流量を制御する機構を設ける必要がなくなり、簡単な構成の血圧計を実現できる。
【図面の簡単な説明】
【００１２】
【図１】本開示の一実施形態の流体通路開閉装置を備えた血圧計のブロック図。
【図２】本開示の一実施形態の流体通路開閉装置の斜視図。
【図３】図２のIII-III線に沿った断面図。
【図４】図２のIV-IV線に沿った断面図。
【図５】図２の流体通路開閉装置の第１の変形例を示す断面図。
【図６】図２の流体通路開閉装置の第２の変形例を示す断面図。
【図７】図６の流体通路開閉装置の平面図。
【図８】図２の流体通路開閉装置の第３の変形例を示す断面図。
【図９】図２の流体通路開閉装置の第４の変形例を示す断面図。
【発明を実施するための形態】
【００１３】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１４】
図１に、本開示の一実施形態の流体通路開閉装置２０を備えた血圧計１を示す。この血圧計１は、本体２と、内部に空気袋３００を有するカフ３とを備えている。この空気袋３００は、空気管４を介して、後述する本体２の加圧ポンプ１６に接続されている。
【００１５】
本体２は、流体通路開閉装置２０に加え、血圧計１全体を制御する制御装置１０、測定された血圧を表示する表示部１１、測定された血圧を記憶するメモリ部１２、電源のオンオフなどを行う操作部１３、制御装置１０に電源を供給する電源部１４、空気管４内の圧力を測定する圧力センサ１５、および、空気管４を介して空気袋３００に空気を供給する加圧ポンプ１６を有している。圧力センサ１５および流体通路開閉装置２０の各々は、空気袋３００および加圧ポンプ１６の間で空気管４に接続されている。
【００１６】
次に、図２〜図４を参照して、流体通路開閉装置２０をより詳しく説明する。
【００１７】
図２〜図４に示すように、流体通路開閉装置２０は、スプール３０と、コイル４０と、可動鉄片５０と、ヨーク６０と、流体通路部７０とを備えている。
【００１８】
スプール３０は、例えば、絶縁性の樹脂で構成され、図３に示すように、第１方向Ｘ（すなわち、図３の左右方向）に延びる筒状の胴部３１と、この胴部３１の延在方向の両端部に設けられかつ胴部３１から第１方向Ｘに交差（例えば、直交）する第２方向Ｙに延びる鍔部３２とで構成されている。胴部３１の内部には、第１方向Ｘに延びて胴部３１を第１方向Ｘに貫通する貫通孔３３が設けられている。また、鍔部３２の一方には、コイル４０に接続されたコイル端子３４が設けられている。このコイル端子３４を介して、コイル４０の電流が供給される。
【００１９】
コイル４０は、例えば、銅製のマグネットワイヤで構成され、図３に示すように、スプール３０の胴部３１に巻回されている。すなわち、コイル４０は、スプール３０に対して貫通孔３３周りに巻回されている。
【００２０】
可動鉄片５０は、例えば、板状の磁性を有する金属で構成され、図３に示すように、第１方向Ｘに沿って延びていると共に、回動軸９０を中心に回動可能な状態でスプール３０の貫通孔３３に収容されている。
【００２１】
詳しくは、可動鉄片５０は、第１方向Ｘおよび第２方向Ｙに交差する第３方向Ｚ（すなわち、図３の紙面貫通方向）から見て、略Ｌ字形状を有し、板面が第２方向Ｙに直交するように配置されている。この可動鉄片５０は、第１方向Ｘに沿って延びる略矩形板状の第１鉄片部５１と、この第１鉄片部５１のその延在方向の一端部（すなわち、図３の左端部）から第２方向Ｙに沿って延びる第２鉄片部５２とで構成されている。なお、第１鉄片部５１および第２鉄片部５２は、一例として、一体に設けられている。
【００２２】
第１鉄片部５１のその延在方向の一端部には、第３方向Ｚに延びる回動軸９０を構成する回動被支持部５３が設けられている。すなわち、可動鉄片５０は、第１方向Ｘにおいてスプール３０の外部に配置された回動被支持部５３でヨーク６０の回動支持部６５に、第３方向Ｚまわりに回動可能に支持されている。また、第１鉄片部５１のその延在方向の他端部（図３の右端部）には、後述する流体通路部７０の開口部７１を可動鉄片５０の回動により開閉可能な弁体５４（蓋部の一例）が設けられている。弁体５４は、例えば、ゴムなどの弾性材料で構成され、第２方向Ｙにおいて流体通路部７０の開口部７１に対向するように配置されている。すなわち、弁体５４は、可動鉄片５０の回動により、流体通路部７０の開口部７１を開閉可能に配置されている。
【００２３】
なお、図４に示すように、第３方向Ｚにおいて、可動鉄片５０とスプール３０の貫通孔３３との間には、隙間３５が形成されている。このように構成することにより、可動鉄片５０の加工誤差の許容範囲を確保しつつ、可動鉄片５０が回動軸９０まわりをより確実に回動できる。
【００２４】
ヨーク６０は、例えば、板状の磁性を有する金属で構成され、図３に示すように、第３方向Ｚから見て略Ｕ字形状を有し、可動鉄片５０と共にコイル４０の一部を第３方向Ｚまわりに取り囲んでいる。このヨーク６０は、第１方向Ｘに沿って延びていると共に、第２方向Ｙにおいてスプール３０の外部でかつ可動鉄片５０との間にコイル４０が位置するように配置された第１部材６１と、第１部材６１のその延在方向の一端部（すなわち、図３の右端部）から第２方向Ｙ沿いを可動鉄片５０に向かって延びる第２部材６２と、第１部材６１のその延在方向の他端部（すなわち、図３の左端部）から第２方向Ｙ沿いを可動鉄片５０に向かって延びる第３部材６３とを有している。第２部材６２および第３部材６３の各々は、スプール３０の外部でかつスプール３０の鍔部３２の近傍に配置されている。なお、第１部材６１、第２部材６２および第３部材６３は、一例として、一体に設けられている。
【００２５】
第２部材６２の第２方向Ｙにおける第１部材６１から遠い方の端部には、第２方向Ｙにおいて可動鉄片５０に対向するように配置された吸引部６４が設けられている。吸引部６４は、第１方向Ｘおよび第３方向Ｙを含む略平面状を有し、コイル４０の通電状態に応じて可動鉄片５０を吸引して回動させることができるように配置されている。
【００２６】
また、第３部材６３の第２方向Ｙにおける第１部材６１から遠い方の端部には、可動鉄片５０の回動被支持部５３で可動鉄片５０を回動可能に支持する回動支持部６５が設けられている。この回動支持部６５は、第１方向Ｘおよび第３方向Ｙを含む略平面状を有し、第１方向Ｘにおいてスプール３０の鍔部３２に接近するに従って第１部材６１に接近するように傾斜している。回動支持部６５は、第１方向Ｘにおいてスプール３０の鍔部３２から遠い方の端部で可動鉄片５０の回動被支持部５３に接触している。すなわち、可動鉄片５０は、回動被支持部５３がヨーク６０の回動支持部６５に接触する部分を回動軸９０として回動する。
【００２７】
なお、可動鉄片５０とヨーク６０とは、ヒンジばね８０を介して接続されている。このヒンジばね８０は、可動鉄片５０の第１鉄片部５１のその延在方向の一端部と、ヨーク６０の第３部材６３とに接続され、第２方向Ｙにおいて、可動鉄片５０の弁体５４が流体通路部７０の開口部７１から離れる方向（すなわち、図３の上向き）に可動鉄片５０を付勢している。
【００２８】
流体通路部７０は、例えば、絶縁性の樹脂で構成され、図３に示すように、第１方向Ｘにおいて可動鉄片５０の回動軸９０よりもヨーク６０の吸引部６４の近くでかつ吸引部６４の近傍に設けられている開口部７１を有している。詳しくは、流体通路部７０は、スプール３０とは別体に設けられ、第１方向Ｘにおいて、スプール３０の外部でかつスプール３０の鍔部３２との間にヨーク６０の第２部材６２が位置するように配置されている。
【００２９】
開口部７１は、第２方向Ｙにおいて可動鉄片５０に対向しかつ可動鉄片５０の回動により弁体５４で開閉可能に配置され、一例として、第２方向Ｙに延びて流体が流れる流体通路７２に接続されている。すなわち、流体通路部７０は、開口部７１を介して流体が流れるように構成されている。なお、開口部７１の周縁部には、可動鉄片５０に向かって僅かに突出する環状の突起部が形成されている。この突起部により、開口部７１を弁体５４により閉鎖し易くしている。
【００３０】
コイル４０に電流が供給されていない無通電時の流体通路開閉装置２０では、図３に示すように、可動鉄片５０の弁体５４がヒンジばね８０により第２方向Ｙにおける流体通路部７０の開口部７１から離れる方向に付勢されて、開口部７１が開放されている。
【００３１】
コイル端子３４を介してコイル４０に電流を供給すると、可動鉄片５０およびヨーク６０に磁束が流れ、磁気回路が形成される。これにより、可動鉄片５０が、ヨーク６０の吸引部６４に吸引されて、ヒンジばね８０の付勢力に抗して第２方向Ｙでかつ流体通路部７０の開口部７１に接近する方向（すなわち、図３の矢印Ａ方向）に回動し、開口部７１が弁体５４により閉鎖される。
【００３２】
なお、この実施形態では、制御装置１０と流体通路開閉装置２０とで、流量制御装置５を構成している。制御装置１０は、演算等を行うＣＰＵ、血圧計１の制御に必要なプログラムあるいはデータ等を記憶しておくＲＯＭおよびＲＡＭ等を備え、流体通路開閉装置２０のコイル４０の通電状態を制御することにより、第２方向Ｙにおける可動鉄片５０の弁体５４を流体通路部７０の開口部７１に対して接触または開離させて、開口部７１を開閉する。これにより、開口部７１を介して流体通路部７０を流れる流体の流量が制御されて、空気袋３００内の空気の量が調整される。
【００３３】
前記流体通路開閉装置２０では、回動軸９０を中心に回動可能な状態でスプール３０の貫通孔３３に収容された可動鉄片５０と、可動鉄片５０を吸引して回動可能に配置された吸引部６４が設けられたヨーク６０と、可動鉄片５０の回動軸９０よりもヨーク６０の吸引部６４の近くでかつ吸引部６４の近傍に設けられて、可動鉄片５０の回動により開閉可能に配置された開口部７１を有する流体通路部７０とを備えている。このような構成により、流体通路部７０の開口部７１が可動鉄片５０の回動軸９０よりもヨーク６０の吸引部６４の近くに配置されるため、開口部７１および吸引部６４の相対的な位置関係がばらつきにくくなり、流体通路部７０の開口部７１を高い精度で開閉可能な流体通路開閉装置２０を実現できる。
【００３４】
また、可動鉄片５０が、その延在方向の一端部に設けられかつ回動軸９０を構成する回動被支持部５３を有し、ヨーク６０の第３部材６３に、回動被支持部５３で可動鉄片５０を回動可能に支持する回動支持部６５が設けられている。可動鉄片５０がヨーク６０の回動支持部６５により回動可能に支持されているので、流体通路部７０の開口部７１をより高い精度で開閉することができる。
【００３５】
また、可動鉄片５０が、第２方向Ｙにおいて流体通路部７０の開口部７１に対向しかつ可動鉄片５０の回動により開口部７１を開閉可能に配置された弁体５４を有している。この弁体５４により、流体通路部７０の開口部７１をより確実に閉鎖することができる。
【００３６】
また、流体通路部７０の開口部７１が、スプール３０の外部で、第１方向Ｘにおいて吸引部６４に隣接して配置されている。このような構成により、流体通路部７０の開口部７１をより高い精度で開閉することができる。
【００３７】
前記流量制御装置５は、流体通路開閉装置２０と、流体通路開閉装置２０のコイル４０の通電状態を制御して開口部７１を開閉することにより流体通路部７０を流れる流体の流量を制御する制御装置１０とを備えている。このような構成により、開口部７１を介して流体通路部７０を流れる流体の流量を高い精度で制御可能な流量制御装置５を実現できる。
【００３８】
前記血圧計１は、流量制御装置５を備えているので、例えば、別途、流体通路部７０を流れる流体の流量を制御する機構を設ける必要がなくなり、簡単な構成の血圧計を実現できる。
【００３９】
なお、前記流体通路開閉装置２０では、弁体５４を可動鉄片５０に設けているが、これに限らない。例えば、図５に示すように、流体通路部７０が、第２方向Ｙにおいて可動鉄片５０と開口部７１との間で移動方向に配置されたプランジャ７３と、プランジャ７３を第２方向Ｙに沿って可動鉄片５０に向かって付勢する付勢部７４（例えば、コイルばね）とを有し、このプランジャ７３が弁部７６を有するように構成してもよい。
【００４０】
図５に示す流体通路開閉装置２０では、プランジャ７３は、第２方向Ｙに延びる略円筒形状を有し、可動鉄片５０のその延在方向の他端部に接触可能に配置された接触部７５が設けられている。プランジャ７３の接触部７５側の端部には、第２方向Ｙで可動鉄片５０に向かう凸球面が形成され、接触部７５は、この凸球面の第２方向Ｙの頂点に配置されている。また、弁部７６は、流体通路部７０の開口部７１に対向しかつプランジャ７３の第２方向Ｙへの移動により開口部７１を開閉可能に配置されている。なお、図５には、通電時の流体通路開閉装置２０を示している。
【００４１】
このように、第２方向Ｙにおいて可動鉄片５０と開口部７１との間で移動方向に配置された蓋部の一例のプランジャ７３を介して、流体通路部７０の開口部７１を開閉するように流体通路開閉装置２０を構成することもできる。また、この流体通路開閉装置２０では、付勢部７４が設けられているので、ヒンジばね８０を省略することもできる。すなわち、設計の自由度の高い流体通路開閉装置２０を実現できる。
【００４２】
前記流体通路開閉装置２０では、スプール３０と流体通路部７０とをそれぞれ別体で設けているが、これに限らない。例えば、図６および図７に示すように、スプール３０と流体通路部７０とを一体に設けてもよい。図６および図７の流体通路開閉装置２０では、ヨーク６０の第２部材６２には、第３方向Ｚの両端部からそれぞれ第１方向Ｘでかつ第２部材６２から離れる方向に延びて、第２方向Ｙにおいて開口部７１を挟むように配置された吸引部６４が設けられている。
【００４３】
このように、スプール３０と流体通路部７０とを一体に設けることで、スプール３０に対して流体通路部７０を容易に位置決めすることができるので、流体通路部７０の開口部７１をより高い精度で開閉することができる。また、流体通路部７０の開口部７１をより吸引部６４の近傍に設けることができるので、流体通路開閉装置２０の小型化を図ることができる。
【００４４】
なお、スプール３０と流体通路部７０とを一体に設ける場合、例えば、図８に示すように、流体通路部７０の開口部７１を第１方向Ｘにおけるスプール３０の内部に設けることができる。図８の流体通路開閉装置２０では、２つのコイル４０が第１方向Ｘに並んで配置され、これら２つのコイル４０の間に開口部７１が配置されている。このように、流体通路部７０の開口部７１の位置は、流体通路開閉装置２０を設ける機器（例えば、血圧計１）の設計などに応じて、適宜変更することができる。すなわち、設計の自由度の高い流体通路開閉装置２０を実現できる。
【００４５】
前記流体通路開閉装置２０では、可動鉄片５０の回動軸９０を構成する回動被支持部５３が、スプール３０の外部に配置されているが、これに限らない。例えば、図９に示すように、回動被支持部５３をスプール３０の内部、すなわち、貫通孔３３内に設けることもできる。図９の流体通路開閉装置２０では、２つのコイル４０が第１方向Ｘに並んで配置され、第１方向Ｘにおけるこれら２つのコイル４０の間に、永久磁石で構成された第３部材６３が設けられている。また、図９の流体通路開閉装置２０では、第１方向Ｘの両端部にそれぞれ流体通路部７０が設けられており、可動鉄片５０の第１方向Ｘの両端部にそれぞれ弁体５４が設けられている。なお、ヨーク６０の第１方向Ｘの両端部には、それぞれ第２部材６２が設けられている。
【００４６】
このように、可動鉄片５０の回動軸９０の位置は、流体通路開閉装置２０を設ける機器（例えば、血圧計１）の設計などに応じて、適宜変更することができる。すなわち、設計の自由度の高い流体通路開閉装置２０を実現できる。
【００４７】
なお、図９の流体通路開閉装置２０では、通電時および無通電時のいずれの場合も、２つの流体通路部７０の一方の開口部７１が閉鎖され、他方の開口部７１が開放されている。また、例えば、コイル４０に流れる電流の向きを逆方向にして、可動鉄片５０の磁化磁性を反対にすることで、一方の開口部７１を常開状態から常閉状態に変更することができる。
【００４８】
可動鉄片５０は、ヨーク６０の第３部材６３に回動可能に支持される場合に限らない。例えば、スプール３０に可動鉄片５０の回動被支持部５３を回動可能に支持する回動支持部を設けてもよい。スプール３０に回動支持部を設けた場合、ヨーク６０の第３部材６３は、可能ならば、省略してもよい。
【００４９】
弁体５４は、省略することができる。この場合、可動鉄片５０の板面における第１鉄片部５１のその延在方向の他端部が、可動鉄片５０の回動により開口部７１を開閉可能な蓋部を構成する。
【００５０】
前記流体通路開閉装置２０では、可動鉄片５０およびヨーク６０を略矩形板状に形成して、可動鉄片５０およびヨーク６０に形成される磁気回路の磁気効率を高めているが、これに限らない。可動鉄片５０およびヨーク６０は、コイル４０の通電状態を制御することにより、流体通路部７０の開口部７１を蓋部で開閉することができれば、任意の形状を採用することができる。
【００５１】
前記流体通路開閉装置２０は、例えば、弁体５４に代えて導電性の可動接点部を設け、流体通路部７０の開口部７１に代えて導電性の固定接点部を設けることで、電磁継電器として使用することができる。
【００５２】
以上、図面を参照して本開示における種々の実施形態を詳細に説明したが、最後に、本開示の種々の態様について説明する。なお、以下の説明では、一例として、参照符号も添えて記載する。
【００５３】
本開示の第１態様の流体通路開閉装置２０は、
第１方向Ｘに沿って延びる貫通孔３３が内部に設けられたスプール３０と、
前記スプール３０に対して前記貫通孔３３まわりに巻回されたコイル４０と、
前記第１方向Ｘに沿って延びていると共に、回動軸９０を中心に回動可能な状態で前記貫通孔３３に収容された可動鉄片５０と、
前記第１方向Ｘに沿って延びていると共に、前記第１方向Ｘに交差する第２方向Ｙにおいて前記スプール３０の外部でかつ前記可動鉄片５０との間に前記コイル４０が位置するように配置された第１部材６１と、前記第１部材６１のその延在方向の一端部から前記第２方向Ｙ沿いを前記可動鉄片５０に向かって延びる第２部材６２とを有し、前記第２方向Ｙにおいて前記可動鉄片５０に対向しかつ前記コイル４０の通電状態に応じて前記可動鉄片５０を吸引して回動させることができるように配置された吸引部６４が前記第２部材６２に設けられているヨーク６０と、
前記第１方向Ｘにおいて前記回動軸９０よりも前記吸引部６４の近くでかつ前記吸引部６４の近傍に設けられていると共に、前記第２方向Ｙにおいて前記可動鉄片５０に対向しかつ前記可動鉄片５０の回動により開閉可能に配置された開口部７１を有し、前記開口部７１を介して流体が流れる流体通路部７０と
を備える。
【００５４】
第１態様の流体通路開閉装置２０によれば、回動軸９０を中心に回動可能な状態でスプール３０の貫通孔３３に収容された可動鉄片５０と、可動鉄片５０を吸引して回動可能に配置された吸引部６４が設けられたヨーク６０と、可動鉄片５０の回動軸９０よりもヨーク６０の吸引部６４の近くでかつ吸引部６４の近傍に設けられて、可動鉄片５０の回動により開閉可能に配置された開口部７１を有する流体通路部７０とを備えている。このような構成により、流体通路部７０の開口部７１が可動鉄片５０の回動軸９０よりもヨーク６０の吸引部６４の近くに配置されるため、流体通路部７０の開口部７１を高い精度で開閉可能な流体通路開閉装置２０を実現できる。
【００５５】
本開示の第２態様の流体通路開閉装置２０は、
前記可動鉄片５０が、その延在方向の一端部に設けられかつ前記回動軸９０を構成する回動被支持部５３を有し、
前記ヨーク６０が、前記第１部材６１のその延在方向の他端部から前記第２方向Ｙ沿いを前記可動鉄片５０に向かって延びる第３部材６３を有し、前記第３部材６３に、前記回動被支持部５３で前記可動鉄片５０を回動可能に支持する回動支持部６５が設けられている。
【００５６】
第２態様の流体通路開閉装置２０によれば、可動鉄片５０がヨーク６０の回動支持部６５により回動可能に支持されているので、流体通路部７０の開口部７１をより高い精度で開閉することができる。
【００５７】
本開示の第３態様の流体通路開閉装置２０は、
前記可動鉄片５０が、その延在方向の他端部に設けられていると共に、前記第２方向Ｙにおいて前記流体通路部７０の前記開口部７１に対向しかつ前記可動鉄片５０の回動により前記開口部７１を開閉可能に配置された弁体５４を有する。
【００５８】
第３態様の流体通路開閉装置２０によれば、弁体５４により、流体通路部７０の開口部７１をより確実に閉鎖することができる。
【００５９】
本開示の第４態様の流体通路開閉装置２０は、
前記流体通路部７０が、
前記第２方向Ｙにおいて前記可動鉄片５０と前記開口部７１との間で移動方向に配置されたプランジャ７３と、
前記プランジャ７３を前記第２方向Ｙに沿って前記可動鉄片５０に向かって付勢する付勢部７４と
を有し、
前記プランジャ７３が、
前記可動鉄片５０のその延在方向の他端部に接触可能に配置された接触部７５と、
前記開口部７１に対向しかつ前記第２方向Ｙへの移動により前記開口部７１を開閉可能に配置された弁部７６と
を有する。
【００６０】
第４態様の流体通路開閉装置２０によれば、設計の自由度の高い流体通路開閉装置２０を実現できる。
【００６１】
本開示の第５態様の流体通路開閉装置２０は、
前記流体通路部７０の前記開口部７１が、前記スプール３０の外部で、前記第１方向Ｘにおいて前記吸引部６４に隣接して配置されている。
【００６２】
第５態様の流体通路開閉装置２０によれば、流体通路部７０の開口部７１をより高い精度で開閉することができる。
【００６３】
本開示の第６態様の流体通路開閉装置２０は、
前記流体通路部７０が前記スプール３０に一体に設けられている。
【００６４】
第６態様の流体通路開閉装置２０によれば、スプール３０に対して流体通路部７０を容易に位置決めすることができるので、流体通路部７０の開口部７１をより高い精度で開閉することができる。
【００６５】
本開示の第７態様の流量制御装置５は、
前記態様の流体通路開閉装置２０と、
前記流体通路開閉装置２０の前記コイル４０の通電状態を制御することにより前記開口部７１を介して前記流体通路部７０を流れる流体の流量を制御する制御装置１０と
を備える。
【００６６】
第７態様の流量制御装置５によれば、前記流体通路開閉装置２０を備えているので、開口部７１を介して流体通路部７０を流れる流体の流量を高い精度で制御可能な流量制御装置５を実現できる。
【００６７】
本開示の第８態様の血圧計１は、
前記態様の流量制御装置５を備える。
【００６８】
第８態様の血圧計１によれば、前記流量制御装置５を備えているので、例えば、別途、流体通路部７０を流れる流体の流量を制御する機構を設ける必要がなくなり、簡単な構成の血圧計を実現できる。
【００６９】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７０】
本開示の流体通路開閉装置は、例えば、流量制御装置に用いることができる。
【００７１】
本開示の流量制御装置は、例えば、血圧計に用いることができる。
【００７２】
本開示の血圧計は、例えば、上腕式血圧計、手首式血圧計あるいは足式血圧計に用いることができる。
【符号の説明】
【００７３】
１  血圧計
２  本体
３  カフ
３００  空気袋
４  空気管
５  流量制御装置
１０  制御装置
１１  表示部
１２  メモリ部
１３  操作部
１４  電源部
１５  圧力センサ
１６  加圧ポンプ
２０  流体通路開閉装置
３０  スプール
３１  胴部
３２  鍔部
３３  貫通孔
３４  コイル端子
３５  隙間
４０  コイル
５０  可動鉄片
５１  第１鉄片部
５２  第２鉄片部
５３  回動被支持部
５４  弁体
６０  ヨーク
６１  第１部材
６２  第２部材
６３  第３部材
６４  吸引部
６５  回動支持部
７０  流体通路部
７１  開口部
７２  流体通路
７３  プランジャ
７４  付勢部
７５  接触部
７６  弁部
８０  ヒンジばね
９０  回動軸
Ａ  矢印
Ｘ  第１方向
Ｙ  第２方向
Ｚ  第３方向
【図１】
2020008032.tif 000003
【図２】
2020008032.tif 000004
【図３】
2020008032.tif 000005
【図４】
2020008032.tif 000006
【図５】
2020008032.tif 000007
【図６】
2020008032.tif 000008
【図７】
2020008032.tif 000009
【図８】
2020008032.tif 000010
【図９】
2020008032.tif 000011